(57)【要約】【課題】従来の活性酸素を用いた有害物質や臭気物質を分解除去する方法では、未反応の活性酸素を分解するためのフィルターを別途設置する必要があるためコンパクト化が難しく、エアコンなどに搭載する簡易型の脱臭フィルターとしての応用は困難であるという課題を有していた。【解決手段】物理吸着作用を有する吸着剤と、遷移金属酸化物と、活性酸素消去能を有する抗酸化物と、これらを担持する担体とから構成され、遷移金属酸化物は臭気物質に対して酸化触媒作用を有し、かつ抗酸化物の活性酸素消去を促進する活性を有する活性酸素消去能を備えた脱臭体で、部屋や車などの生活空間で発生する有害物質や臭気物質と活性酸素とを同時に除去できる活性酸素消去能を備えた脱臭体を実現できる。【選択図】図１
2007111311.tif 000002
【特許請求の範囲】
【請求項１】
物理吸着作用を有する吸着剤と、遷移金属酸化物と、活性酸素消去能を有する抗酸化物と、前記吸着剤と前記遷移金属酸化物と前記抗酸化物とを担持する担体とから構成され、前記遷移金属酸化物は臭気物質に対して酸化触媒作用を有し、かつ前記抗酸化物の活性酸素消去を促進する活性を有することを特徴とする、活性酸素消去能を備えた脱臭体。
【請求項２】
吸着剤が疎水性ゼオライトであることを特徴とする、請求項１記載の活性酸素消去能を備えた脱臭体。
【請求項３】
抗酸化物はビタミンＣ、ビタミンＥ、リコピン、カテキン類、タンニン、イソフラボン、ポリフェノール類、没食子酸の少なくとも一種を含むことを特徴とする、請求項１記載の活性酸素消去能を備えた脱臭体。
【請求項４】
担体がハニカム構造体であることを特徴とする、請求項１記載の活性酸素消去能を備えた脱臭体。
【請求項５】
遷移金属酸化物と抗酸化物とが吸着剤表面に担持されていることを特徴とする、請求項１記載の活性酸素消去能を備えた脱臭体。
【請求項６】
遷移金属酸化物がスピネル型構造の酸化コバルトであり、活性酸素の一種である過酸化水素を分解し、かつ酸化触媒作用により臭気物質中に含まれるアルデヒド類をカルボン酸へ転化後、吸着剤で吸着除去することを特徴とする、請求項１記載の活性酸素消去能を備えた脱臭体。
【請求項７】
アルデヒド類はアセトアルデヒドであり、カルボン酸は酢酸であることを特徴とする、請求項６記載の活性酸素消去能を備えた脱臭体。
【請求項８】
吸着剤へ吸着したカルボン酸は通気により脱着し、繰り返し使用可能であることを特徴とする、請求項６〜７のうちいずれか１項に記載の活性酸素消去能を備えた脱臭体。
【請求項９】
請求項１〜８のいずれか１項に記載の活性酸素消去能を備えた脱臭体と、タバコの煙を含む空気を吸引する吸引手段とを備えた空気清浄機。
【請求項１０】
活性酸素消去能を備えた脱臭体により脱臭された空気を室内あるいは車内へ導入する導入口と、前記脱臭体から脱着した臭気を室外あるいは車外へ排気する排気口と、前記導入口と前記排気口との流路を切り替える切り替え手段とを前記活性酸素消去能を備えた脱臭体の風下に配置したことを特徴とする、請求項９記載の空気清浄機。
【発明の詳細な説明】
【技術分野】
【０００１】
本発明は、部屋や車などの生活空間の気体に含まれる臭気物質を吸着除去でき、特にタバコの主成分でＶＯＣの一種でもある有害性の高いアセトアルデヒドを有害性の小さい酢酸へ転化し、それを吸着除去することができ、それと同時にタバコの煙に含まれる活性酸素を消去できる脱臭体およびそれを用いた空気清浄機に関するものである。
【背景技術】
【０００２】
従来、特開２０００−４８６号公報に示されるように、放電などにより活性酸素を発生させ、それにより有害物質や臭気物質を分解除去する方法が広く知られている。
【０００３】
また、特開２００５−６５８２２号公報には、有害ガス分解ユニットと有害ガス吸着ユニットを併用し、さらにそれに揮発性の抗酸化剤を気中に放出するユニットを風路中に備え、脱臭や有害ガスの除去を行うことが記載されている。本文中には活性酸素の除去を示唆する内容の記載はないが、幾分かは活性酸素を除去できると考えられる。
【特許文献１】特開２０００−４８６号公報
【特許文献２】特開２００５−６５８２２号公報
【発明の開示】
【発明が解決しようとする課題】
【０００４】
しかしながら、特開２０００−４８６号公報に開示の活性酸素を用いた有害物質や臭気物質を分解除去する方法では、未反応の活性酸素を分解するためのフィルターを別途設置する必要があるためコンパクト化が難しく、エアコンなどに搭載する簡易型の脱臭フィルターとしての応用は困難であるという課題を有していた。
【０００５】
また、特開２００５−６５８２２号公報に開示の方法では、有害ガスの除去はできるものの、活性酸素と抗酸化剤との反応を促進する触媒がないため、ほとんど分解効果は期待できないという課題を有していた。
【０００６】
本発明は、前記従来の課題を解決するもので、部屋や車などの生活空間で発生する有害物質や臭気物質と活性酸素とを同時に除去できる活性酸素消去能を備えた脱臭体を提供することを目的とする。
【課題を解決するための手段】
【０００７】
前記従来の課題を解決するために、本発明の活性酸素消去能を備えた脱臭体およびそれを用いた空気清浄機は、物理吸着作用を有する吸着剤と、遷移金属酸化物と、活性酸素消去能を有する抗酸化物と、前記吸着剤と前記遷移金属酸化物と前記抗酸化物とを担持する担体とから構成され、前記遷移金属酸化物は臭気物質に対して酸化触媒作用を有し、かつ前記抗酸化物の活性酸素消去を促進する活性を有する活性酸素消去能を備えた脱臭体とするものである。
【０００８】
これによって、部屋や車などの生活空間で発生する有害物質や臭気物質と活性酸素とを同時に除去できる活性酸素消去能を備えた脱臭体を実現できる。
【発明の効果】
【０００９】
本発明の活性酸素消去能を備えた脱臭体は、部屋や車などの生活空間で発生する臭気を物理吸着作用を有する吸着剤や遷移金属酸化物により除去でき、また活性酸素を消去する抗酸化物とその消去速度を向上させる遷移金属酸化物により、活性酸素を除去できる活性酸素消去能を備えた脱臭体や空気清浄機を提供できる。
【００１０】
特に、タバコの煙に含まれる有害なアセトアルデヒドを常温で有害性の小さい酢酸へと転化し、吸着剤で吸着除去でき、同時に含まれる過酸化水素などの活性酸素を除去する空気清浄機を提供できる。
【００１１】
また、本発明の空気清浄機は、人の手を煩わすことなく自動的に吸脱着を制御し、メンテナンスフリーで長期間使用できる空気清浄機を提供することができる。
【発明を実施するための最良の形態】
【００１２】
第１の発明は、物理吸着作用を有する吸着剤と、遷移金属酸化物と、活性酸素消去能を有する抗酸化物と、前記吸着剤と前記遷移金属酸化物と前記抗酸化物とを担持する担体とから構成され、前記遷移金属酸化物は臭気物質に対して酸化触媒作用を有し、かつ前記抗酸化物の活性酸素消去を促進する活性を有する活性酸素消去能を備えた脱臭体とするもので、部屋や車などの生活空間で発生する臭気を物理吸着作用を有する吸着剤や遷移金属酸化物により除去でき、また活性酸素を消去する抗酸化物とその消去速度を向上させる遷移金属酸化物により、活性酸素を除去できる活性酸素消去能を備えた脱臭体を実現できる。
【００１３】
第２の発明は、吸着剤が疎水性ゼオライトである請求項１記載の活性酸素消去能を備えた脱臭体とするもので、シリカ分を高めたゼオライトは極性が小さくなるため、非極性の臭気分子を吸着できるようになり、また雰囲気の湿度に依存することなく臭気分子を吸脱着できるようになるため、多様な臭気分子を吸着除去できる活性酸素消去能を備えた脱臭体を実現できる。
【００１４】
第３の発明は、抗酸化物はビタミンＣ、ビタミンＥ、リコピン、カテキン類、タンニン、イソフラボン、ポリフェノール類、没食子酸の少なくとも一種を含む請求項１記載の活性酸素消去能を備えた脱臭体とするもので、抗酸化物の中でも特に活性酸素消去能が高い上記物質を用いることにより、効率良く活性酸素を除去できる活性酸素消去能を備えた脱臭体を実現できる。
【００１５】
第４の発明は、担体がハニカム構造体である請求項１記載の活性酸素消去能を備えた脱臭体とするもので、通気抵抗が小さく、比表面積が大きいため、圧損を抑え、臭気の吸脱着効率や活性酸素の除去効率が高い活性酸素消去能を備えた脱臭体を実現できる。
【００１６】
第５の発明は、遷移金属酸化物と抗酸化物とが吸着剤表面に担持されている請求項１記載の活性酸素消去能を備えた脱臭体とするもので、遷移金属酸化物と抗酸化物の分散性を高め、比表面積を大きくすることができ、また吸着剤と近接しているため遷移金属酸化物の触媒作用により転化された中間生成物を速やかに吸着剤へ移動させることで酸化物表面が清浄になるため、酸化物の触媒を効率良く働かせることができ、部屋や車などの生活空間で発生する有害物質や臭気物質を効率良く除去できる活性酸素消去能を備えた脱臭体を実現できる。
【００１７】
第６の発明は、遷移金属酸化物がスピネル型構造の酸化コバルトであり、活性酸素の一種である過酸化水素を分解し、かつ酸化触媒作用により臭気物質中に含まれるアルデヒド類をカルボン酸へ転化後、吸着剤で吸着除去する請求項１記載の活性酸素消去能を備えた脱臭体とするもので、スピネル型構造の酸化コバルトがアルデヒド類を酸化し岩塩型構造となり、次に岩塩型構造が空気中の酸素により酸化されスピネル型構造に戻り、その繰り返しで触媒作用を発揮するため、スピネル型構造の酸化コバルトを選択することでアルデヒド類をカルボン酸へ転化する性能が高く、カルボン酸への転化率の高い脱臭体を実現できる。
【００１８】
第７の発明は、アルデヒド類はアセトアルデヒドであり、カルボン酸は酢酸である請求項６記載の活性酸素消去能を備えた脱臭体とするもので、アセトアルデヒドはタバコや建材の接着剤等に多く含まれている発ガン性を有するとされる有害な物質で、それを有害性が少ない酢酸に転化し、ゼオライトにより除去できる活性酸素消去能を備えた脱臭体を実現できる。
【００１９】
第８の発明は、吸着剤へ吸着したカルボン酸は通気により脱着し、繰り返し使用可能な請求項６もしくは請求項７のうちいずれか１項に記載の活性酸素消去能を備えた脱臭体とするもので、吸脱着しやすい吸着剤であるゼオライト等の吸着剤を担持した脱臭体に通気することにより、飽和吸着に達したゼオライトが脱着再生され、メンテナンスフリーで長期間使用できる活性酸素消去能を備えた脱臭体を実現できる。
【００２０】
第９の発明は、請求項１〜８のいずれか１項に記載の活性酸素消去能を備えた脱臭体と、タバコの煙を含む空気を吸引する吸引手段とを備えた空気清浄機とするもので、タバコの煙に含まれる有害なアセトアルデヒドを常温で有害性の小さい酢酸へと転化し、吸着剤で吸着除去でき、同時に含まれる過酸化水素などの活性酸素を除去する空気清浄機を提供できる。
【００２１】
第１０の発明は、活性酸素消去能を備えた脱臭体により脱臭された空気を室内あるいは車内へ導入する導入口と、前記脱臭体から脱着した臭気を室外あるいは車外へ排気する排気口と、前記導入口と前記排気口との流路を切り替える切り替え手段とを前記活性酸素消去能を備えた脱臭体の風下に配置した請求項９記載の空気清浄機とするもので、吸着剤を担持した脱臭体に通気することにより、飽和吸着に達した吸着剤から脱着した臭気が室外もしくは車外に排気されることで、メンテナンスフリーで長期間使用できる活性酸素消去能を備えた空気清浄機を実現できる。
【００２２】
以下、本発明の実施の形態について、図面を参照しながら説明する。なお、この実施の形態によって本発明が限定されるものではない。
【００２３】
（実施の形態１）
図１（ａ）は本発明の第１の実施の形態における脱臭体を示す外観模式図であり、（ｂ）は脱臭体表面の拡大模式図である。活性酸素消去能を備えた脱臭体１は、担体３としてポリエチレンテレフタレートを代表とするポリエステル繊維やセルロース繊維などの有機繊維、もしくはシリカやアルミナ繊維などの無機繊維から構成される平板および波形板を交互に積層されたハニカム構造体であり、通気方向２へ低い通気抵抗で通気することができる。
【００２４】
担体３は、物理吸着作用を有する吸着剤４（以下、本実施の形態では物理吸着剤４という）と遷移金属酸化物５（以下、本実施の形態では触媒酸化物５という）と抗酸化物６とを表面に担持する役割がある。
【００２５】
物理吸着剤４、触媒酸化物５、抗酸化物６を担体３にアンカー効果もしくは物理的な結合もしくは化学的な結合などの作用により結合させ、担持している。このときバインダを添加し、接着力を高めると良いが、添加量が多い場合、吸着効果、触媒活性、活性酸素消去活性を低下させる原因となり、少ない場合、担体３との密着力が低下し、剥がれ落ちやすくなる。
【００２６】
望ましくは、物理吸着剤４と触媒酸化物５と抗酸化物６との合計量とバインダの固形分とが重量比で１：１〜２０：１程度である。
【００２７】
また、バインダは無機系としてはナトリウムやカリウム成分を極力除去したコロイダルシリカ、リン酸アルミニウムなどが適しており、有機系としては水に酢酸ビニル、アクリル、エチレン、ビニルアルコール、変性ウレタンなどの樹脂粒子や、これらの樹脂からなる共重合樹脂粒子を分散させた水系エマルジョン型接着剤を用いるのが望ましい。
【００２８】
この有機系バインダは、水を蒸発させることにより、樹脂粒子や共重合樹脂粒子の濃度が高くなり、そしてこれら粒子の表面同士がくっつき始め、粒子表面が互いに溶け合い、被膜を形成することで接着作用が発揮される。
【００２９】
このように樹脂皮膜となるため、有機繊維に担持後も加工性に優れる一方で、無機系バインダより触媒性能は劣るという短所もある。
【００３０】
物理吸着剤４は、ゼオライト、シリカゲル、セピオライト、アルミナ、活性炭等の物理吸着作用を有する物質が用いられるが、臭気物質の吸脱着速度が速いゼオライトが最も望ましく、特にシリカ／アルミナ比が大きいため極性が小さい疎水性ゼオライトを用いるとよい。
【００３１】
これにより、非極性の臭気分子も吸着するようになり、また雰囲気の湿度に依存することなく臭気分子を吸脱着できるため、多様な臭気分子を吸脱着できる脱臭体を実現できる。
【００３２】
また、ゼオライトやセピオライト等にはナトリウムやカリウム成分を極力除去したものを用いることが望ましい。これにより触媒酸化物５によるアルデヒド類からカルボン酸への転化率が向上する。
【００３３】
本実施の形態で用いた疎水性ゼオライトは０．１〜１０μｍ程度の径であるが、この大きさに限定されるものではない。
【００３４】
しかしながら、大きさを小さくした方が、同体積での表面積を大きくとることができるので好ましい。
【００３５】
さらに、物理吸着剤４の形は図中にあるような球状に限定されるものではなく、また実際は物理吸着剤４の一次粒子が集まり、二次粒子を形成したり、さらには三次粒子を形成したりした粒子が担体３へ担持されていると考えられる。
【００３６】
活性酸素消去能を備えた脱臭体の表面に凹凸を設けることにより、単位体積あたりの表面積を増やすことができるようになり、より効果的である。
【００３７】
本実施の形態では、活性酸素消去能を備えた脱臭体１に有機繊維で構成される平板および波形板を交互に積層されたハニカム構造体を用いたが、物理吸着剤４と触媒酸化物５と抗酸化物６との混合物を格子状に押出成型を行ったハニカム構造体を用いても良い。
【００３８】
これにより、バインダを用いることがなくハニカム構造体全体を物理吸着剤４と触媒酸化物５と抗酸化物６とにすることができるので、吸着効果およびカルボン酸への転化率、活性酸素消去効率が高い活性酸素消去能を備えた脱臭体を実現できる。
【００３９】
触媒酸化物５は、コバルトを主成分とする酸化物でスピネル型の結晶構造のＣｏ３Ｏ４とすることが望ましい。
【００４０】
その他、Ｍｎ、Ｆｅ、Ｎｉ、Ｃｕ、Ｚｎなどの遷移金属を加え、スピネル型構造の複合酸化物としても良い。これは、スピネル型構造の酸化物触媒がアルデヒド類を酸化し岩塩型構造となり、次に岩塩型構造が空気中の酸素により酸化されスピネル型構造に戻り、その繰り返しで触媒作用を発揮するため、スピネル型構造を選択することでアルデヒド類をカルボン酸へ転化する性能が高く、カルボン酸への転化率の高い活性酸素消去能を備えた脱臭体を実現できる。
【００４１】
また、触媒酸化物５は抗酸化物６が有する活性酸素消去能を促進あるいは増幅させる触媒的な役割を有する。
【００４２】
また、活性酸素が過酸化水素である場合、触媒酸化物５が直接過酸化水素を分解する触媒作用を有する。
【００４３】
過酸化水素はタバコの煙に多く含まれ、同時に含まれるアセトアルデヒドの分解も行うことができるため、タバコ臭を脱臭する空気清浄機の脱臭フィルターに最適である。本実施の形態で用いた触媒酸化物５は０．１〜１０μｍ程度の径であるが、この大きさに限定されるものではない。
【００４４】
しかしながら、大きさを小さくした方が、同体積での表面積を大きくとることができるので好ましい。
【００４５】
さらに、触媒酸化物５の形も図中にあるような球状に限定されるものではなく、また実際は触媒酸化物５の一次粒子が集まり、二次粒子を形成したり、さらには三次粒子を形成したりした粒子が担体３へ担持されていると考えられる。
【００４６】
触媒酸化物５もアンカー効果もしくは物理的な結合もしくは化学的な結合などの作用により、担体３あるいは物理吸着剤４に担持されている。
【００４７】
特に、物理吸着剤４表面に担持されている場合、触媒酸化物５の触媒作用によりアルデヒドから転化されたカルボン酸類を速やかに吸着剤へ移動、吸着させることで触媒酸化物５表面が清浄になり反応サイトが空くため、これを繰り返すことで次々と触媒作用を発揮させることができ、部屋や車などの生活空間で発生する有害物質や臭気物質を効率良く除去できる活性酸素消去能を備えた脱臭体を実現できる。
【００４８】
抗酸化物６は、ビタミンＣ、ビタミンＥ、リコピン、カテキン類、タンニン、イソフラボン、ポリフェノール類、没食子酸などが挙げられ、これらのうち少なくとも一種を用いることが望ましい。
【００４９】
本実施の形態で用いた抗酸化物６は０．１〜１０μｍ程度の径であるが、この大きさに限定されるものではないが、大きさを小さくした方が同体積での表面積を大きくとることができるので好ましい。
【００５０】
さらに、抗酸化物６の形も図中にあるような球状に限定されるものではなく、また実際は抗酸化物６の一次粒子が集まり、二次粒子を形成したり、さらには三次粒子を形成したりした粒子が担体３へ担持されていると考えられる。
【００５１】
抗酸化物６もアンカー効果もしくは物理的な結合もしくは化学的な結合などの作用により、担体３あるいは物理吸着剤４、触媒酸化物５に担持されている。
【００５２】
次に担持方法について説明する。物理吸着剤４と触媒酸化物５と抗酸化物６との担体３への担持方法については、スプレーなどを用いた噴霧法、ディップ法などあるが、担体３が無機繊維の場合、物理吸着剤４と触媒酸化物５と抗酸化物６と必要に応じてバインダを水や溶剤などに分散させ、ハニカム構造体をそのスラリーに浸漬することで担持するディップ法が望ましい。
【００５３】
この後、乾燥させることにより活性酸素消去能を備えた脱臭体が完成する。抗酸化物が水あるいは溶剤に溶解する物質である場合、乾燥時に担体３、物理吸着剤４、触媒酸化物５の表面に析出することとなる。
【００５４】
乾燥温度は、抗酸化物６の活性酸素消去能が壊れない温度、すなわち６０〜１００℃程度が望ましい。
【００５５】
また担体３が有機繊維の場合、抄紙工程中に有機繊維に加えて物理吸着剤４と触媒酸化物５と抗酸化物６とを混合しておくことで抄紙を行い、これらを担持させることができる。
【００５６】
ディップ法の場合、粉末状の物理吸着剤４と触媒酸化物５とを分散させスラリーを作製するが、物理吸着剤４および触媒酸化物５の平均径は小さい方が望ましく、一次粒子の平均径で１μｍ以下程度が望ましい。
【００５７】
さらには、なるべく凝集が起こらないように水や溶媒に分散させることが望ましく、必要に応じて分散剤を添加すると良い。
【００５８】
（実施の形態２）
図２は本発明の第２の実施の形態における脱臭体の模式図である。
【００５９】
部屋あるいは車１０内部に空気清浄機１１が設置されている。空気清浄機１１は吸引手段１３と、吸気口１４と、活性酸素消去能を備えた脱臭体１５と、脱臭された空気１６を部屋に戻す導入口１７と、臭気を含む空気２０を部屋あるいは車１０内から排気する排気口１９からなる。
【００６０】
そして、導入口１７と排気口１９との間には、これらを切り替える切り替え手段１８がある。
【００６１】
なお、図２には記載していないが、タバコの臭気などに反応するセンサーを取り付け、吸引手段１３や切り替え手段１８と連動させても良い。
【００６２】
また、本発明の空気清浄機はエアコンや換気扇等に取り付けて、あるいは組み込んで用いることもできる。
【００６３】
吸引手段１３はシロッコファン、ターボファン、プロペラファン、クロスフローファン、貫流ファン等が一般の吸引手段として使用され、特に限定するものではない。
【００６４】
本実施の形態ではプロペラファンを用いた。また、吸引手段１３は活性酸素消去能を備えた脱臭体１５への送風手段としても用いることができる。
【００６５】
次に動作方法について説明する。部屋あるいは車１０内でタバコを吸った場合、空気清浄機１１はタバコの煙を含む空気１２を吸引手段１３により吸気口１４を通して吸い込み、活性酸素消去能を備えた脱臭体１５を通り脱臭される。
【００６６】
このとき同時に、タバコの煙に含まれる過酸化水素やヒドロキシラジカルのような活性酸素も消去される。
【００６７】
活性酸素が消去され、脱臭された空気１６は導入口１７を通り、部屋あるいは車１０へ戻される。
【００６８】
活性酸素消去能を備えた脱臭体１５が飽和吸着に達し、部屋あるいは車１０内に臭気がない場合、切り替え手段１８によって通気方向を室外あるいは車外へ排出する排気口１９側へ切り替え、吸引手段１３を作動させ通気させることにより、臭気が飽和吸着した物理吸着作用を有する吸着剤から臭気を脱着させ、脱着させた臭気を含む空気２０を室外あるいは車外へ排出することができる。
【００６９】
したがって、この動作を繰り返すことにより、メンテナンスフリーで長期間使用できる空気清浄機を実現できる。
【産業上の利用可能性】
【００７０】
以上のように、本発明にかかる活性酸素消去能を備えた脱臭体およびそれを用いた空気清浄機は、上述したように生活空間で発生する臭気を吸着除去できるとともに、主にタバコの煙や排ガスに含まれる活性酸素を消去できる活性酸素消去能を備えた脱臭体を実現できる。
【００７１】
そして、特に有害なアセトアルデヒドを常温で有害性の小さい酢酸へと転化し、吸着除去できる活性酸素消去能を供えた脱臭体を提供することができ、また人の手を煩わすことなく自動的に吸脱着を制御し、メンテナンスフリーで長期間使用できる空気清浄機を提供することができる。
【００７２】
さらに、活性酸素消去能を備えた脱臭体はエアコン、生ごみ処理機、ＶＯＣ分解機、介護用脱臭機、排ガス処理機、換気扇などへ搭載あるいは取り付けることにより、メンテナンスフリーで長期間利用できる脱臭機能、有害物質分解機能を付加することができるものである。また、空気清浄機は部屋に設置されたエアコンや換気扇、カーエアコン等と連動させることができるものである。
【図面の簡単な説明】
【００７３】
【図１】（ａ）本発明の第１の実施の形態における活性酸素消去能を備えた脱臭体を示す外観模式図（ｂ）本発明の第１の実施の形態における活性酸素消去能を備えた脱臭体表面の拡大模式図
【図２】本発明の第２の実施の形態における空気清浄機を示す断面模式図
【符号の説明】
【００７４】
１  活性酸素消去能を備えた脱臭体
２  通気方向
３  担体
４  物理吸着作用を有する吸着剤
５  遷移金属酸化物
６  抗酸化物
１０  部屋あるいは車
１１  空気清浄機
１２  タバコの煙を含む空気
１３  吸引手段
１４  吸気口
１５  活性酸素消去能を備えた脱臭体
１６  脱臭された空気
１７  導入口
１８  切り替え手段
１９  排気口
２０  臭気を含む空気
【図１】
2007111311.tif 000003
【図２】
2007111311.tif 000004